(57)【特許請求の範囲】
【請求項１】
軸(3) を中心に回動自在に連結されて開閉する一対のフレーム(1,5) と、該フレーム(1,5) にそれぞれ回転自在に支持されてなる一対のヒートローラ(20)とを具備し、フレーム(1,5)が閉じた状態においてヒートシールを行うと共にフレーム(1,5)が開いた状態においてヒートローラ(20)が回転しながら清掃されるヒートシール装置であって、前記ヒートローラ(20)は連動回転用ギヤ(30)と清掃用ギヤ(35)とを有し、フレーム(1,5)が閉じた状態においては連動回転用ギヤ(30)は互いに噛み合う一方清掃用ギヤ(35)は互いに噛み合わず且つフレーム(1,5) が開いた状態においては連動回転用ギヤ(30)は互いに噛み合わない一方清掃用ギヤ(35)は互いに噛み合うように、連動回転用ギヤ(30)はフレーム(1,5)の回動中心（Ａ）より下方に位置し且つ清掃用ギヤ(35)はフレーム(1,5)の回動中心（Ａ）より上方に位置することを特徴とするヒートシール装置。
【請求項２】
連動回転用ギヤ(30)及び清掃用ギヤ(35)が共にひらば歯車である請求項１記載のヒートシール装置。
【請求項３】
連動回転用ギヤ(30)がひらば歯車で、清掃用ギヤ(35)がかさば歯車である請求項１記載のヒートシール装置。
【発明の詳細な説明】
【０００１】
【発明の属する技術分野】
本発明は、ヒートシール装置に関し、例えば薬剤等を分包する分包紙を溶着するヒートシール装置に関する。
【０００２】
【従来の技術】
従来、この種のヒートシール装置としては、実公平７−３８０１５号公報所載のものが公知である。
該公報所載のヒートシール装置は、フレームと、そのフレームに両端部が回転自在に支持され、一端部に連動回転用ギヤを取付けた一対の加熱ローラとからなるものである。
【０００３】
そして、該フレームは一対の加熱ローラの接触線に沿って分割せしめられてなり、このフレームの回転中心軸が連動用回転ギヤのピッチ点のかみ合い線上に位置させてなるものである。
これにより、フレームを開放せしめた際にあっても、閉塞時に互いに噛合う連動用回転ギヤの噛み合いが外れることなく、フレームを閉じる際に連動用回転ギヤ同士の相対的にズレを生じさせないものであった。
【０００４】
【発明が解決しようとする課題】
しかしながら、上記公報所載のヒートシール装置にあっては、フレーム開放時において加熱ローラを回転させると、連動用回転ギヤ同士が本来当接されるべき箇所と異なる箇所において当接しあい、ギヤの破損のおそれが存在した。
従って、上記ヒートシール装置にあっては、加熱ローラの清掃作業が極めて煩雑であるという問題を有していた。
【０００５】
そこで、本発明は、上記従来の問題点に鑑みてなされたもので、ギヤを破損することなく、フレームを開放させた状態において容易且つ確実に加熱ローラの清掃を行なうことができるヒートシール装置を提供することを課題とする。
【０００６】
【課題を解決するための手段】
本発明に係るヒートシール装置は、軸(3) を中心に回動自在に連結されて開閉する一対のフレーム(1,5) と、該フレーム(1,5) にそれぞれ回転自在に支持されてなる一対のヒートローラ(20)とを具備し、フレーム(1,5)が閉じた状態においてヒートシールを行うと共にフレーム(1,5)が開いた状態においてヒートローラ(20)が回転しながら清掃されるヒートシール装置であって、前記ヒートローラ(20)は連動回転用ギヤ(30)と清掃用ギヤ(35)とを有し、フレーム(1,5)が閉じた状態においては連動回転用ギヤ(30)は互いに噛み合う一方清掃用ギヤ(35)は互いに噛み合わず且つフレーム(1,5) が開いた状態においては連動回転用ギヤ(30)は互いに噛み合わない一方清掃用ギヤ(35)は互いに噛み合うように、連動回転用ギヤ(30)はフレーム(1,5)の回動中心（Ａ）より下方に位置し且つ清掃用ギヤ(35)はフレーム(1,5)の回動中心（Ａ）より上方に位置することを特徴とする
【０００７】
該構成からなるヒートシール装置にあっては、フレーム1,5 が閉じた状態において互いに噛合う連動回転用ギヤ30によって、一対のヒートローラ20を回転せしめて、搬送されるシート同士を接着させることができる。
一方、上記加熱作業に伴いゴミ等が付着したヒートローラ20を清掃するにあっては、フレーム1,5 を開放せしめて、清掃用ギヤ35同士を噛み合わせて、該清掃用ギヤ35によりヒートローラ20を回転せしめつつ、ヒートローラ20の清掃を行なうことができる。この際、前記連動回転用ギヤ30は互いに噛み合い状態にないので、かかるギヤ30の破損を生ずることがない。
【０００８】
【発明の実施の形態】
以下、本発明に係るヒートシール装置について、図１乃至図３を参酌しつつ、以下説明する。
【０００９】
図１及び図２において、１は、分包機に固着される固定フレームを示し、該固定フレーム1 には軸3 を支点として回動フレーム5 が取付けられてなる。
ここで、Ａは、固定フレーム1 と回動フレーム5 との回動中心を示す。
【００１０】
また、軸3 は正面側より背面側にかけて設けられてなり、この一本の軸3 の両端部には、フレーム1,5 の正面側の壁面及び背面側の壁面1a,5a が夫々回動自在に枢支されてなる。なお、回動フレーム5 の正面側及び背面側の壁面5aには、図２に示すように回動フレーム5 の開放状態において、固定フレーム1 と当接しないように、その上端部に切欠（図示せず）が形成されてなり、具体的には前記壁面5aの上端部の固定フレーム１側の隅部が、回転中心から上端部にかけて開放角度（回動フレーム5 が開放する角度）にかけて切欠かれてなる。
【００１１】
なお、該回動フレーム5 の下端には、閉塞時に固定フレーム1 下端に設けられた被掛止部（図示せず）に掛止可能な掛止手段（図示せず）が設けられてなる。また、前記軸3 にはスプリング（図示せず）が嵌着されてなり、該スプリングの両端部は夫々回動フレーム5 の開放方向に付勢するようにフレーム1,5 に当接されてなる。これにより、前記掛止手段による掛止が解除されれば、回動フレーム5 は開放方向に回動するように構成されてなる。
【００１２】
さらに、両フレーム1,5 に夫々ヒートローラ20が回転自在に支持されてなる。具体的には、ヒートローラ20の加熱部22の上下で軸受け7 により支持されてなる。この一対のヒートローラ20は、前記掛止手段による掛止状態（回動フレーム5 の閉塞状態）において、互いに略当接すべく設けられてなる。
【００１３】
図１乃至図３において、30は、加熱ローラー20に夫々固着されてなる連動回転用ギヤであり、該連動回転用ギヤ30は回動フレーム5 の閉塞状態において互いに噛合うよう設けられてなる。
さらに、該連動回転用ギヤ30は、図２に示すように、回動フレーム5 の開放状態において互いに噛み合い状態が解除されるように構成されてなり、具体的には前記回動中心Ａよりも一定距離以上離間するように設けられてなる。
なお、該連動回転用ギヤ30はひらば歯車からなる。
【００１４】
また、35は、該連動用回転用ギヤ30よりも上方においてヒートローラ20に固着された清掃用ギヤ35であり、該清掃用ギヤ35は、回動フレーム5 の開放状態において互いに噛み合うように設けられてなる。ここで、該清掃用ギヤ35は、回転中心Ａよりも上方に位置してなり、回動フレーム5 の閉塞状態においては図１に示すように互いに噛み合っていない。
なお、この清掃用ギヤ35もひらば歯車からなる。
【００１５】
さらに、回動フレーム5 には、ギヤ30,35 の上方を覆うケース5bが設けられてなる。
【００１６】
また、前記固定フレーム1 側のヒートローラ20には、動力伝達用の駆動伝達ギヤ40が固着されてなる。該駆動伝達ギヤ40は、前記清掃用ギヤ35及び連動回転用ギヤ30との中間部において固着されてなる。
該駆動伝達ギヤ40は、はすば歯車からなる。
【００１７】
さらに、このはすば歯車からなる駆動伝達ギヤ40には、図３に示すように、駆動源に接続された駆動軸42に固着された駆動ギヤ44と噛み合っている。なお、この駆動ギヤもはすば歯車からなる。
【００１８】
また、図３において、50は、ヒートローラ20に分包紙を送るための送りローラ（図示せず）の端部に固着された送り用ギヤであり、該送り用ギヤ50は、連結ギヤ52を介して前記固定フレーム1 の連動回転用ギヤ30に連結されてなる。
なお、このように連結ギヤ52を介して連結されてなることにより、該送り用ギヤ50は固定フレーム1 の連動回転用ギヤ30と同一方向に回転するように設けられてなる。
また、回動フレーム5 には、該送り用ギヤ50が固定された送りローラに対向して、押えローラ（図示せず）が回転自在に取付けられてなり、該押えローラは送りローラの方向に弾力付勢されてなり、この送りローラと押えローラとにより分包紙が挟持されつつ、ヒートローラ20に送られることとなる。
【００１９】
本実施形態のヒートローラーは、上記構成からなるが、まず、図１に示すように回動フレーム5 が閉塞された状態における使用方法について説明すると、該閉塞状態において前記駆動ギヤ44の回転が、駆動伝達ギヤ40に伝達されて固定フレーム1 のヒートローラ20が回転し、これと共に連動用回転ギヤ30同士が噛み合っているので回動フレーム5 側のヒートローラ20も回転する。
また、連動用回転ギヤ30に連結された供給ローラも回転することにより、分包紙がヒートローラ20間に供給されて、この供給された分包紙は所望の形状で内面同士が溶着されることととなる。
【００２０】
さらに、上記分包作業終了後に、作業中にヒートローラ20の加熱部22に付着した分包紙等に基づくゴミを除去する清掃作業をするにあたっては、下方の掛止手段による掛止を解除した後に、図２に示す如く、回動フレーム5 を軸3 を支点として回動せしめて、フレーム1,5 間を開放する。
そして、この状態で駆動ギヤ44を回転せしめると、駆動伝達ギヤ40に伝達されて固定フレーム1 のヒートローラ20が回転する。それに伴い、この回動フレーム5 の開放状態において互いに噛合う清掃用ギヤ35により、回動フレーム5 側のヒートローラ20も回転する。
【００２２】
これにより、回転するヒートローラ20の加熱部22をブラシ等でこすり、かかる部位に付着したゴミを除去することができる。
【００２３】
また、この際に、前記連動回転用ギヤ30は互いに噛み合っていないので、該連動回転用ギヤ30同士の噛み合いによる歯先の破損等を生ずるおそれがない。
一方、清掃用ギヤ35は、互いに傾斜した状態で噛合うものの、この状態においてのみ互いに回転を伝達するものであれば足りるので、当接面が中心部に位置するように配置せしめることができ、破損の問題は少ない。
【００２４】
さらに、本実施形態においては、フレーム1,5 の回転中心Ａが、連動回転用ギヤ30の噛み合い線の線上に存在せず、また清掃用ギヤ35の噛み合い線の線上にも存在しないので、両フレーム1,5 の正面側及び背面側を一本の軸3 で連結することができ、また、かかる軸3 に開放状態を維持するためのスプリングを挿着できるという利点を有する。
【００２５】
本実施形態は、上記構成からなり、上述の利点を有するものであったが、本発明はこれに限定されるものではなく、本発明の意図する範囲で適宜設計変更可能である。
【００２６】
即ち、例えば各ギヤを構成する歯車は、上記実施形態のものに限定されるものではなく、適宜設計変更可能である。
特に、清掃用ギヤ35として、かさば歯車等を採用することも可能である。
【００２７】
【発明の効果】
本発明は上記構成からなるので、フレームを開放せしめて、清掃用ギヤ同士を噛み合わせて、該清掃用ギヤによりヒートローラを回転せしめることができ、この際連動回転用ギヤ同士は互いに噛み合い状態にないので、かかるギヤの破損を生ずることがなく、これにより加熱作業に伴いゴミ等が付着したヒートローラをフレーム同士を開放した状態で清掃作業を容易且つ確実に行なうことができるという効果を有する。
【図面の簡単な説明】
【図１】本発明に係るヒートシール装置の一実施形態の一部断面を含む正面図。
【図２】同実施形態の一部断面を含む正面図。
【図３】同実施形態の一部断面を含む平面図。
【符号の説明】
１…固定フレーム（フレーム）、３…軸、５…回動フレーム（フレーム）、20…ヒートローラ、30…連動回転用ギヤ、35…清掃用ギヤ、Ａ…回転中心
【図１】
0003936025.tif 000002
【図２】
0003936025.tif 000003
【図３】
0003936025.tif 000004